(57)【要約】      （修正有）【課題】薄型眼鏡への応用に適した軽くて薄い眼鏡構造を提供する。【解決手段】軽くて薄い眼鏡構造は、メガネフレーム２０、テンプル３０、及びテンプル３０をメガネフレーム２０と連結させる結合部品４０を備え、メガネフレーム２０両側には制限槽２１、嵌接孔を形成し、結合部品４０に形成する係合間隙、係合固定槽を利用し、メガネフレーム２０と相互に係合して固定し、テンプル３０は回転軸部３１を備え、結合部品４０に設置する軸合部４４に嵌合し、テンプル３０に設置する弾性ワイヤーテンプル３２は制限槽２１を通過後、テンプルクッションを弾性ワイヤーテンプル３２後段に嵌めて固定し、メガネフレーム２０辺縁には隙間を備え、レンズの組合せ或いは交換に便利で、ネジを利用しなくとも、テンプル３０とメガネフレーム２０の組立てを完成でき、ネジが容易に緩み脱落するという欠点を改善できる。【選択図】図２
0003183940.tif 000002
【実用新案登録請求の範囲】
【請求項１】
軽くて薄い眼鏡構造は、メガネフレーム、テンプル、結合部品からなり、
該メガネフレームは両側に、制限槽、嵌接孔を形成し、該嵌接孔の間に、隙間を開設し、
該テンプルは、適当な強度及びフレキシブル性を備える弾性ワイヤー構造体で、回転軸部、該回転軸部より垂直に外へと延伸する２個の弾性ワイヤーテンプル、係合接続部を備えるテンプルクッションを備え、
該結合部品は、傾斜部、係合間隙、該傾斜部後方に隣接する係合固定槽、及び軸合部を備え、
該傾斜部は、該嵌接孔内に挿入され係合され、
該回転軸部は、該結合部品の軸合部に嵌合され、
該弾性ワイヤーテンプルの末端を、該制限槽に通した後、該テンプルクッションを、該弾性ワイヤーテンプル後段に嵌めて押さえることを特徴とする軽くて薄い眼鏡構造。
【請求項２】
前記回転軸部には、ラフ面、エンボス等の表面処理を施すことを特徴とする請求項１に記載の軽くて薄い眼鏡構造。
【請求項３】
前記制限槽はさらに、定位凹部を備えることを特徴とする請求項１に記載の軽くて薄い眼鏡構造。
【考案の詳細な説明】
【技術分野】
【０００１】
本考案は軽くて薄い眼鏡構造に関し、特に薄型眼鏡への応用に適した軽くて薄い眼鏡構造に関する。
【背景技術】
【０００２】
従来の眼鏡構造は、図１に示すように、メガネフレーム10、２個のテンプル12及び2個のネジ13からなる。
該メガネフレーム10両側には、方向が反対の可動接続部11をそれぞれ設置する。
該可動接続部11は、可動接続耳111を備える。
該テンプル12は、前端に設置する可動接続リング121を備える。
該可動接続リング121は、該可動接続耳111とそれぞれ対応する。
該ネジ13により、可動接続リング121及び可動接続耳111を同時に貫通して螺合する。
これにより、該テンプル12可動端は、該ネジ13を軸心として、メガネフレーム10に相対し外に広がり、或いは内に折れる動作を行う。
【０００３】
該従来の眼鏡構造は、既に基本的な折り畳み機能を備えているが、テンプル12に展開或いは折り畳みの操作を行う時、回転軸に設置するネジ13も、操作に従い、同時に回転する。
このため、長時間の使用後は、ネジの締め付け力が徐々に低下し緩み脱落する。
よって、折りを見て、ネジを再び締め付ける処理を行う必要があり、非常に不便である。
【０００４】
眼鏡製造技術の進歩に従い、高単価の眼鏡は、軽くて薄いタイプへと設計されるようになっている。
材質が柔軟で堅固な薄型眼鏡は、その内の一つである。
このタイプの眼鏡のメガネフレーム及びテンプルは普通、板状材料をそれぞれ成型して準備し、次に関節構造を対応させて、両者を一体に連結する。
【０００５】
しかし、もし、関節部分が、前記の軸合関節構造に設計されていれば、メガネフレームの重量は増加し、しかもネジが容易に緩むという問題を回避することはできない。
この他、板状材料上に前記の回転軸構造を製造するなら、技術の難度と製造コストを引き上げてしまう。
よって、このタイプの眼鏡構造は、解決すべき課題を備える。
本考案は、従来の軽くて薄い眼鏡構造の上記した欠点に鑑みてなされたものである。
【先行技術文献】
【特許文献】
【０００６】
【特許文献１】特開２００９−２８８６８３号公報
【考案の概要】
【考案が解決しようとする課題】
【０００７】
本考案が解決しようとする課題は、ネジを用いず、テンプルとメガネフレームとを結合し、しかもレンズの取り付け/取り外しを便利に行うことができる軽くて薄い眼鏡構造を提供することである。
【課題を解決するための手段】
【０００８】
上記課題を解決するため、本考案は下記の軽くて薄い眼鏡構造を提供する。
薄型眼鏡構造は、メガネフレーム、テンプル、結合部品からなり、
該メガネフレームは両側に、制限槽、嵌接孔を形成し、
該テンプルは、適当な強度及びフレキシブル性を備える弾性ワイヤー構造体で、回転軸部、該回転軸部より垂直に外へと延伸する２個の弾性ワイヤーテンプル、係合接続部を備えるテンプルクッションを備え、
該結合部品は、傾斜部、係合間隙、該傾斜部後方に隣接する係合固定槽、及び軸合部を備え、
該傾斜部は、該嵌接孔内に挿入され係合され、該回転軸部は、該結合部品の軸合部に嵌合され、該弾性ワイヤーテンプルの末端を、該制限槽に通した後、該テンプルクッションを、該弾性ワイヤーテンプル後段に嵌めて押さえ、
該弾性ワイヤーテンプルの末端は、相互に合わさり、
該弾性ワイヤーテンプルは、外向きの応力を備え、
該回転軸部には、ラフ面、エンボス等の表面処理を施し、
該メガネフレームは、嵌接孔の間に、隙間を開設し、
該制限槽はさらに、定位凹部を備える。
【考案の効果】
【０００９】
本考案の軽くて薄い眼鏡構造は、メガネフレーム辺縁に隙間を備え、レンズの組合せ或いは交換に便利で、ネジを利用しなくとも、テンプルとメガネフレームの組立てを完成できるため、ネジが緩んで脱落するという問題が発生せず、ワイヤー構造体であるテンプル設計は非常にクリエイティブで、眼鏡を大きく軽量化でき、製品の高級感を高めることもできる。
【図面の簡単な説明】
【００１０】
【図１】従来の眼鏡構造の立体分解図である。
【図２】本考案第一実施例の外観参考図である。
【図３】本考案第一実施例の分解模式図である。
【図４】本考案第二実施例の構造模式図である。
【図５】本考案第二実施例の結合位置の断面模式図である。
【図６】本考案第三実施例の構造模式図である。
【考案を実施するための形態】
【００１１】
以下に図面を参照しながら本考案を実施するための最良の形態について詳細に説明する。
【実施例】
【００１２】
図２、３に示すように、本考案軽くて薄い眼鏡構造の第一実施例は、メガネフレーム20、テンプル30及び結合部品40からなる。
【００１３】
該メガネフレーム20は両側に、平行で相対する２個の制限槽21を形成し、該２個の制限槽21の間には、２個の嵌接孔22を開設する。
【００１４】
該テンプル30は、コの字形に似た弾性ワイヤー構造体で、該弾性ワイヤー構造体は、適当な強度及びフレキシブル性を備えたワイヤーにより成型する構造体である。
【００１５】
該テンプル30は、回転軸部31、該回転軸部31より垂直に外へと延伸する２個の弾性ワイヤーテンプル32、テンプルクッション33を備える。
【００１６】
該２個の弾性ワイヤーテンプル32の末端は相互に合わさるが、当然、やや外に広がった角度を呈し、組設時に力を加えて末端を合わせることもできる。
【００１７】
該テンプルクッション33は、係合接続部331を備え、２個の弾性ワイヤーテンプル32を備える末端を嵌めて設置し、テンプルを形成する。
【００１８】
該結合部品40は、形状が相互に対応する２個の傾斜部41、該傾斜部41の間に形成する係合間隙42、該傾斜部41後方に隣接する係合固定槽43、軸合部44を備える。
【００１９】
本実施例中では、該結合部品40の傾斜部41により嵌接孔22内にきっちりと挿入し、これにより、メガネフレーム20の構造の一部は、該係合固定槽43内に嵌め入れられ、相互に係合する。
【００２０】
該回転軸部31は、該結合部品40の軸合部44に嵌合される。
【００２１】
該２個の構成部品の軸合位置間に、ラフ面、エンボス等の摩擦力を拡大する表面処理を施せば、該テンプル30折り畳み時に抵抗の効果を備える。
【００２２】
該２個の弾性ワイヤーテンプル32の末端は、それぞれ上下制限槽21を通過し、続いて該テンプルクッション33を、該弾性ワイヤーテンプル32後段に嵌めて固定する。
【００２３】
これにより、テンプルはネジが不要な構造となり、直ちにメガネフレームと結合可能な薄型眼鏡構造となり、ネジ構造のネジが緩み脱落し易いという欠点を改善することができる。
【００２４】
上記した構造の実施を通して、該テンプル30は、該軸合部44を軸心として、展開/折り畳みの動作を行うことができ、該制限槽21の拘束により、テンプルの外への広がり角度を規定することができる。
【００２５】
当然、２個の弾性ワイヤーテンプル32は、外向きの応力を備えるように製造することができ、これにより該弾性ワイヤーテンプル32と該制限槽21間の摩擦応力を拡大することで、テンプルの抵抗効果を構成する。
【００２６】
図４に示すように、本考案軽くて薄い眼鏡構造の第二実施例において、第一実施例との相異点は、メガネフレーム20は、２個の嵌接孔22の中間位置に、隙間23を開設する点である。
【００２７】
図５に示すように、該結合部品40が嵌接孔22に係合すると、係合間隙42により、該隙間23両側のメガネフレーム20構成を挟んで固定する。
【００２８】
メガネフレーム20は、開閉可能であるため、レンズの組合せに便利で、レンズ取り付けの確実性を高めることができ、メンテナンス時の利便性を向上させることができる。
【００２９】
他の構造は、図３に示す実施例と相同であるため、記載しない。
【００３０】
図６に示すように、本考案軽くて薄い眼鏡構造の第三実施例において、他の実施例との相異点は、該制限槽21にはさらに、定位凹部24を備える点である。
【００３１】
該定位凹部24の設置により、テンプル30の展開時、該弾性ワイヤーテンプル32を該定位凹部24に嵌め入れることで、該テンプル30の角度を定位することができる。
【００３２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３４】
10  メガネフレーム  
11  可動接続部
111 可動接続耳  
12  テンプル
121 可動接続リング  
13  ネジ
20  メガネフレーム  
21  制限槽
22  嵌接孔  
23  隙間
24  定位凹部  
30  テンプル
31  回転軸部  
32  弾性ワイヤーテンプル
33  テンプルクッション 
331 係合接続部
40  結合部品  
41  傾斜部
42  係合間隙  
43  係合固定槽
44  軸合部
【図１】
0003183940.tif 000003
【図２】
0003183940.tif 000004
【図３】
0003183940.tif 000005
【図４】
0003183940.tif 000006
【図５】
0003183940.tif 000007
【図６】
0003183940.tif 000008